(57)【要約】【課題】端末装置が更新の有無を含めて更新されたコンテンツの情報、例えば開始時刻を知るために、ネットワーク側の検索サーバに何度もアクセスして確かめることを不要とし、使いやすいシステムを提供すること。【解決手段】ユーザが知らせてもらいたいコンテンツの情報をネットワーク側に送信することにより、ネットワーク側で、ユーザが知らせてもらいたいコンテンツの情報の変更の有無を監視し、開始時刻を含むコンテンツの情報を所定のタイミングで、ネットワーク側からユーザに通知可能とするライブ映像コンテンツ情報自動通知方法並びに同システムおよびそのプレゼンスサブシステム。【選択図】      図２
2004362499.tif 000002
【特許請求の範囲】
【請求項１】
ユーザが知らせてもらいたいコンテンツの情報をネットワークに送信し、該ネットワークから前記知らせてもらいたいコンテンツの情報にマッチングしたコンテンツの開始時刻を含むコンテンツの情報を所定のタイミングで前記ユーザに自動通知する方法であって、
コンテンツの状態変更情報を監視し、蓄積するステップと、
前記ユーザから、前記知らせてもらいたいコンテンツの情報、およびユーザが希望する場合は通知時間を指定する情報を受信し、蓄積するステップと、
前記蓄積したコンテンツの状態変更情報と、前記蓄積したユーザからの知らせてもらいたいコンテンツの情報並びにユーザの希望による前記通知時間を指定する情報に基づいて、マッチングしたコンテンツの情報を蓄積するステップと、
前記マッチングしたコンテンツの情報に関わる状態変更情報を監視するステップと、
前記マッチングしたコンテンツの開始時刻を含むコンテンツの情報を所定のタイミングで前記ユーザの端末装置に送信するステップと
を有することを特徴とするライブ映像コンテンツ情報自動通知方法。
【請求項２】
前記所定のタイミングが、前記マッチングしたコンテンツの情報に含まれる開始時刻の直前であることを特徴とする請求項１記載のライブ映像コンテンツ情報自動通知方法。
【請求項３】
前記開始時刻の直前の値は、あらかじめ設定されていることを特徴とする請求項２記載のライブ映像コンテンツ情報自動通知方法。
【請求項４】
前記開始時刻の直前の値は、前記端末装置が前記ユーザの通知時間指定により設定することを特徴とする請求項２記載のライブ映像コンテンツ情報自動通知方法。
【請求項５】
前記マッチングしたコンテンツの開始時刻を含むコンテンツの情報を前記ユーザの端末装置に通知するにあたっては、前記ユーザの端末装置からの当該ユーザの受信可能時間帯指定に基づいて通知することを特徴とする請求項１に記載のライブ映像コンテンツ情報自動通知方法。
【請求項６】
前記ユーザが知らせてもらいたいコンテンツの情報とは、当該ユーザが希望するコンテンツを一意に特定する情報であることを特徴とする請求項１に記載のライブ映像コンテンツ情報自動通知方法。
【請求項７】
前記ユーザが知らせてもらいたいコンテンツの情報とは、当該ユーザの嗜好コンテンツジャンルを指定する情報であることを特徴とする請求項１に記載のライブ映像コンテンツ情報自動通知方法。
【請求項８】
ユーザが知らせてもらいたいコンテンツの情報をネットワークに送信し、該ネットワークから前記知らせてもらいたいコンテンツの情報にマッチングしたコンテンツの開始時刻を含むコンテンツの情報（通知されるコンテンツ情報）を所定のタイミングで前記ユーザに自動通知するシステムであって、
前記ユーザの端末装置から、プレゼンスプロトコルにより前記知らせてもらいたいコンテンツの情報、およびユーザが希望する場合は通知時間を指定する情報を受信し、前記マッチングしたコンテンツの開始時刻を含むコンテンツの情報を前記ユーザの端末装置に送信する手段と、前記プレゼンスプロトコルによりコンテンツの状態変更情報と、前記ユーザが知らせてもらいたいコンテンツの情報と、ユーザの希望による前記時間を指定する情報とを受信し、蓄積する手段と、該手段により蓄積したコンテンツの状態変更情報と、前記ユーザが知らせてもらいたいコンテンツの情報にマッチングするコンテンツの情報を蓄積し、該マッチングしたコンテンツの情報に関わる状態変更情報を監視し、前記マッチングしたコンテンツの開始時刻を含むコンテンツの情報（前記通知されるコンテンツ情報）を所定のタイミングで前記端末装置に通知する手段を有するプレゼンスサブシステムと、
プレゼンスプロトコルによりコンテンツの状態変更情報を前記プレゼンスサブシステムに送信する手段を有するコンテンツ配信サブシステムと
を備えることを特徴とするライブ映像コンテンツ情報自動通知システム。
【請求項９】
ユーザが知らせてもらいたいコンテンツの情報をネットワークに送信し、該ネットワークから前記知らせてもらいたいコンテンツの情報にマッチングしたコンテンツの開始時刻を含むコンテンツの情報を所定のタイミングで前記ユーザに自動通知するシステムに用いるに好適なプレゼンスサブシステムであって、
プレゼンスプロトコルにより前記ユーザの端末装置から送信される前記知らせてもらいたいコンテンツの情報、およびユーザの希望による受信可能時間帯を指定する情報を受信し、コンテンツ配信サブシステムから送信されるコンテンツの状態変更情報を受信し、マッチングしたコンテンツの情報を蓄積し、該マッチングしたコンテンツの情報に関わる状態変更情報を監視し、前記マッチングしたコンテンツの開始時刻を含むコンテンツの情報を所定のタイミングで前記ユーザの端末装置に通知する手段を備えることを特徴とするライブ映像コンテンツ情報自動通知システム用プレゼンスサブシステム。
【発明の詳細な説明】
【０００１】
【発明の属する技術分野】
本発明はライブ映像コンテンツ情報自動通知方法並びに同システムおよびそのプレゼンスサブシステムに関し、より具体的には、ユーザが知らせてもらいたいコンテンツの情報をネットワークに送信し、該ネットワークから前記ユーザが知らせてもらいたいコンテンツの情報にマッチングしたコンテンツの開始時刻を含むコンテンツの情報を所定のタイミングで前記ユーザに自動通知するライブ映像コンテンツ情報自動通知方法並びに同システムおよびそのプレゼンスサブシステムに関する。
【０００２】
【従来の技術】
従来は、ユーザが知らせてもらいたいコンテンツの情報、例えば開始時刻を知る方法としては、コンテンツ名あるいはユーザの嗜好コンテンツジャンルをネットワークに送信し、その時点でマッチングしたコンテンツの持つ情報から得る方法であり、その後にコンテンツの情報が変更になっても、ネットワークからユーザに知らされることはなかった。ユーザは改めてネットワークにアクセスしない限り、コンテンツの情報の変更を知ることはできなかった。また、視聴したいコンテンツの開始時刻になっても、ネットワークからユーザに知らされることはなかった。
【０００３】
例えば、特許文献１においては、ネットワーク側に放送内容検索サーバを置き、該サーバは、番組を放送するラジオ局サーバに対し、所定の時間間隔で問い合わせを行い、番組内容の更新情報を取得することにより、放送内容検索サーバの蓄積内容を所定の時間間隔で更新しているが、放送内容検索サーバから端末装置に対し更新した情報の通知は行われていない。
このため、端末装置が更新の有無を含めて更新された情報を知るには、放送内容検索サーバに再度アクセスするしかなかった。
【０００４】
【特許文献１】
特開２００２‐８２９５９号公報「情報配信システム、情報提供システム、端末装置および情報記憶媒体」
【０００５】
【発明が解決しようとする課題】
上記従来技術においては、端末装置が更新の有無を含めて、視聴したいコンテンツの有無を知るには、あるいは更新されたコンテンツの情報、例えば開始時刻を知るには、ネットワーク側の検索サーバに何度かアクセスして確かめるしかなかった。何度もアクセスすることは、ユーザにとっては面倒であるが、アクセスを怠ると折角のコンテンツを見逃してしまうことにつながり、また、ネットワークにとっては無効なトラヒックが増す原因になるという問題があった。
また、あらかじめ視聴したいコンテンツの開始時刻を確かめていても、視聴しようとしたコンテンツの開始時刻を忘れてしまい、見逃してしまうという問題があった。
【０００６】
本発明の目的は、従来の技術における上述のような問題を解消し、ユーザが知らせてもらいたいコンテンツの情報をネットワーク側に送信することにより、ネットワーク側で、上記ユーザが知らせてもらいたいコンテンツの情報にマッチングしたコンテンツの情報を蓄積し、このコンテンツの情報の変更の有無を監視し、開始時刻を含むコンテンツの情報を所定のタイミングで、ネットワーク側からユーザに通知するという技術を提供することにある。
【０００７】
より具体的には、本発明の目的は、上述の、ユーザが知らせてもらいたいコンテンツの情報をネットワーク側に送信することにより、ネットワーク側で、上記ユーザが知らせてもらいたいコンテンツの情報にマッチングしたコンテンツの情報を蓄積し、このコンテンツの情報の変更の有無を監視し、開始時刻を含むコンテンツの情報を所定のタイミングで、ネットワーク側からユーザに通知可能とするライブ映像コンテンツ情報自動通知方法並びに同システムおよびそのプレゼンスサブシステムを提供することにある。
【０００８】
【課題を解決するための手段】
上記課題を解決するために、本発明に係るライブ映像コンテンツ情報自動通知方法は、ユーザが知らせてもらいたいコンテンツの情報をネットワークに送信し、該ネットワークから前記知らせてもらいたいコンテンツの情報にマッチングしたコンテンツの開始時刻を含むコンテンツの情報（通知されるコンテンツ情報）を所定のタイミングで前記ユーザに自動通知する方法であって、コンテンツの状態変更情報を監視し、蓄積するステップと、前記ユーザから、前記知らせてもらいたいコンテンツの情報、およびユーザが希望する場合は通知時間を指定する情報を受信し、蓄積するステップと、前記蓄積したコンテンツの状態変更情報と、前記蓄積したユーザからの知らせてもらいたいコンテンツの情報並びにユーザの希望による前記通知時間を指定する情報に基づいて、マッチングしたコンテンツの情報を蓄積するステップと、前記マッチングしたコンテンツの情報に関わる状態変更情報を監視するステップと、前記マッチングしたコンテンツの開始時刻を含むコンテンツの情報（前記通知されるコンテンツ情報）を所定のタイミングで前記ユーザの端末装置に送信するステップとを有することを特徴とする。
【０００９】
ここで、前記所定のタイミングは、前記マッチングしたコンテンツの情報に含まれる開始時刻の直前であることが好ましい。また、前記開始時刻の直前の値は、あらかじめ設定されているものであること、もしくは、前記端末装置が前記ユーザの通知時間指定により設定するものであることが好ましい。
【００１０】
さらに、前記マッチングしたコンテンツの開始時刻を含むコンテンツの情報（前記通知されるコンテンツ情報）を前記ユーザの端末装置に通知するにあたっては、前記ユーザの端末装置からの当該ユーザの受信可能時間帯を指定する情報が送信されている場合には、その情報に基づいて通知する。また、前記ユーザが知らせてもらいたいコンテンツの情報とは、当該ユーザが希望するコンテンツを一意に特定する情報、もしくは、当該ユーザの嗜好コンテンツジャンルを指定する情報である。
【００１１】
一方、本発明に係るライブ映像コンテンツ情報自動通知システムは、ユーザが知らせてもらいたいコンテンツの情報をネットワークに送信し、該ネットワークから前記知らせてもらいたいコンテンツの情報にマッチングしたコンテンツの開始時刻を含むコンテンツの情報を所定のタイミングで前記ユーザに自動通知するシステムであって、前記ユーザの端末装置から、プレゼンスプロトコルにより前記知らせてもらいたいコンテンツの情報、およびユーザが希望する場合は通知時間を指定する情報を受信し、前記マッチングしたコンテンツの開始時刻を含むコンテンツの情報を前記ユーザの端末装置に送信する手段と、前記プレゼンスプロトコルによりコンテンツの状態変更情報と、前記ユーザが知らせてもらいたいコンテンツの情報と、ユーザの希望による前記時間を指定する情報とを受信し、蓄積する手段と、該手段により蓄積したコンテンツの状態変更情報と、前記ユーザが知らせてもらいたいコンテンツの情報並びにユーザの希望による前記通知時間を指定する情報に基づいて、マッチングしたコンテンツの情報を蓄積し、該マッチングしたコンテンツの情報に関わる状態変更情報を監視し、前記マッチングしたコンテンツの開始時刻を含むコンテンツの情報を所定のタイミングで前記端末装置に通知する手段を有するプレゼンスサブシステムと、プレゼンスプロトコルによりコンテンツの状態変更情報を前記プレゼンスサブシステムに送信する手段を有するコンテンツ配信サブシステムとを備えることを特徴とする。
【００１２】
また、本発明に係るライブ映像コンテンツ情報自動通知システムに用いるに好適なプレゼンスサブシステムは、ユーザが知らせてもらいたいコンテンツの情報をネットワークに送信し、該ネットワークから前記知らせてもらいたいコンテンツの情報にマッチングしたコンテンツの開始時刻を含むコンテンツの情報を所定のタイミングで前記ユーザに自動通知するシステムに用いるに好適なプレゼンスサブシステムであって、プレゼンスプロトコルにより前記ユーザの端末装置から送信される前記知らせてもらいたいコンテンツの情報、およびユーザの希望による受信可能時間帯を指定する情報を受信し、コンテンツ配信サブシステムから送信されるコンテンツの状態変更情報を受信し、マッチングしたコンテンツの情報を蓄積し、該マッチングしたコンテンツの情報に関わる状態変更情報を監視し、前記マッチングしたコンテンツの開始時刻を含むコンテンツの情報を所定のタイミングで前記ユーザの端末装置に通知する手段を備えることを特徴とする．
【００１３】
【作用】
本発明に係るライブ映像コンテンツ情報自動通知方法および同システムにおいては、ＳＩＰ（Ｓｅｓｓｉｏｎ  Ｉｎｉｔｉａｔｉｏｎ  Ｐｒｏｔｏｃｏｌ）を拡張したＳＩＭＰＬＥ（ＳＩＰ  ｆｏｒ  Ｉｎｓｔａｎｔ  Ｍｅｓｓａｇｉｎｇ  ａｎｄ  Ｐｒｅｓｅｎｃｅ  Ｌｅｖｅｒａｇｉｎｇ  Ｅｘｔｅｎｓｉｏｎｓ）プロトコルを適用している。プレゼンスプロトコルは、現状では通信相手の状態変化をオンラインで知るために利用されている程度であるが、本発明に係るライブ映像コンテンツ情報自動通知方法および同システムでは、これをコンテンツの状態変化の把握にまで適用の拡大を図ったものである。
【００１４】
すなわち、プレゼンスプロトコルを、ライブ映像コンテンツ情報自動通知システムのコンテンツ配信サブシステムとプレゼンスサブシステムの間に適用することにより、コンテンツの状態変更情報をプレゼンスサブシステムにオンラインで知らせ、また、プレゼンスプロトコルをプレゼンスサブシステムとユーザの端末装置の間に適用することにより、プレゼンスサブシステム内に蓄積されたコンテンツ状態の変化（情報の変化）を端末装置にオンラインで知らせることが可能になることを基本にしている。
【００１５】
プレゼンスプロトコルをコンテンツ配信サブシステムとプレゼンスサブシステム間、およびプレゼンスサブシステムと端末装置間に適用することにより、従来問題であった、ユーザが視聴したいコンテンツの存在を知るために、およびコンテンツの情報の更新を知るためにネットワーク側の検索サーバに何度もアクセスしなければならないという手間と、ネットワークにとって無効なトラヒックが増す原因を解決するシステムが実現可能となる（以上、請求項１，８）。
【００１６】
また、本発明においては、プレゼンスサブシステムがマッチングしたコンテンツの開始時刻を含むコンテンツの情報（前記通知されるコンテンツ情報）を端末装置に通知する所定タイミングとして、マッチングしたコンテンツの情報に含まれる開始時刻に基づきその時刻の直前にすること（以上、請求項２）と、直前の値をプレゼンスサブシステムが指定すること（以上、請求項３）、または、直前の値を端末装置がユーザの通知時間指定により設定すること（以上、請求項４）を特徴とする。
【００１７】
また、プレゼンスサブシステムがマッチングしたコンテンツの開始時刻を含むコンテンツの情報（前記通知されるコンテンツ情報）を端末装置に通知するにあたって、端末装置がユーザの受信可能時間帯指定により設定すること（以上、請求項５）、また、端末装置が送信するユーザが知らせてもらいたいコンテンツの情報として、ユーザが希望するコンテンツを一意に特定する情報にすること（以上、請求項６）、または、ユーザの嗜好コンテンツジャンルを指定する情報にすることを備える（以上、請求項７）。
以上により、一層使いやすいシステムが実現できるようになる。
【００１８】
なお、本発明に係るプレゼンスサブシステムは、前述のように構成したことにより、従来問題であった、ユーザが視聴したいコンテンツの存在を知るために、および開始時刻を含むコンテンツの情報の更新を知るためにネットワーク側の検索サーバに何度もアクセスしなければならないという手間と、ネットワークにおいて無効なトラヒックが増す原因を解決するシステムを実現するためのプレゼンスサブシステムが実現可能となる（以上、請求項９）。
【００１９】
【発明の実施の形態】
以下、本発明の実施の形態を、図面に示す好適実施例に基づいて、詳細に説明する。
【００２０】
図１は、本発明の一実施形態に係るライブ映像コンテンツ情報自動通知システム（以下、単に自動通知システムという）の構成を示す接続図である。図１に示すように、本実施形態に係る自動通知システムは、ＩＰ通信ネットワーク１１と、ユーザ６１の端末装置２１と、プレゼンスサブシステム３１と、データベースサブシステム４１と、コンテンツ配信サブシステム５１から構成され、端末装置２１および各サブシステム３１，４１，５１は、ＩＰ通信ネットワーク１１に接続されている。
【００２１】
ユーザ６１の端末装置２１は、プレゼンスプロトコル機能部２１‐１，アプリケーション部２１‐２を含むＰＣ（Ｐｅｒｓｏｎａｌ  Ｃｏｍｐｕｔｅｒ  ）などの通信端末装置である。ここで、プレゼンスプロトコル機能部２１‐１は、ＴＣＰ（Ｔｒａｎｓｍｉｓｓｉｏｎ  Ｃｏｎｔｒｏｌ  Ｐｒｏｔｏｃｏｌ  ）あるいはＵＤＰ（Ｕｓｅｒ  Ｄａｔａｇｒａｍ  Ｐｒｏｔｏｃｏｌ  ）の上位レイヤに位置するプログラムであり、前述のＳＩＰを拡張したＳＩＭＰＬＥプロトコルによりプレゼンス情報の送受信を行う機能を有する。また、アプリケーション部２１‐２は、プレゼンスプロトコル機能部２１‐１の上位レイヤに位置する端末装置用アプリケーションである。
【００２２】
また、端末装置２１は、プレゼンスサブシステム３１に、端末装置２１のＵＲＩ（Ｕｎｉｆｏｒｍ  Ｒｅｓｏｕｒｃｅ  Ｉｄｅｎｔｉｆｉｅｒ  ）の登録、ユーザ６１が知らせてもらいたいコンテンツの情報（例えばコンテンツを一意に特定する情報やユーザの嗜好コンテンツジャンルを指定する情報，ユーザ６１が希望した場合には、マッチングしたコンテンツを開始時刻を含むコンテンツの情報を開始時刻の特定時間前に通知する特定時間を指定する通知時間指定情報、あるいはユーザ６１が希望した場合にはマッチングしたコンテンツの開始時刻を含むコンテンツの情報の通知を受けることができる時間を指定する受信可能時間帯指定情報等）をプレゼンスプロトコル機能部２１‐１から送信し、プレゼンスサブシステム３１から送信されるマッチングしたコンテンツの開始時刻を含む情報（前記通知されるコンテンツ情報）をプレゼンスプロトコル機能部２１‐１により受信する機能を含む通信端末装置である。
【００２３】
コンテンツ配信サブシステム５１は、プレゼンスプロトコル機能部５１‐１，アプリケーション５１‐２を含むコンテンツ配信サーバ装置であり、プレゼンスサブシステム３１に、ＵＲＩの登録，コンテンツの状態変更情報（新規登録，開始日時変更，削除など）をプレゼンスプロトコル機能部５１−１から送信する機能を含む。
【００２４】
コンテンツ配信サブシステム５１のプレゼンスプロトコル機能部５１−１は、プレゼンスプロトコル機能部２１−１と同様に、ＵＤＰあるいはＴＣＰの上位レイヤに位置するプログラムであり、ＳＩＰを拡張したＳＩＭＰＬＥプロトコルによりプレゼンス情報の送受信を行う機能を有し、アプリケーション部５１−２は、プレゼンスプロトコル機能部５１−１の上位レイヤに位置するコンテンツ配信サブシステム用アプリケーションである。
【００２５】
プレゼンスサブシステム３１は、本発明に係るシステムの中核をなすサブシステムであり、プレゼンスプロトコル機能部３１−４，アプリケーション部３１−５を含むサーバ装置である。プレゼンスプロトコル機能部３１−４は、プレゼンスプロトコル機能部２１−１と同様に、ＵＤＰあるいはＴＣＰの上位レイヤに位置するプログラムであり、ＳＩＰを拡張したＳＩＭＰＬＥプロトコルによりプレゼンス情報の送受信を行う機能を有し、アプリケーション部３１−５は、プレゼンスプロトコル機能部３１−４の上位レイヤに位置するプレゼンスサブシステム用アプリケーションである。
【００２６】
プレゼンスサブシステム３１は、コンテンツ配信サブシステム５１から送信されるＵＲＩの登録，コンテンツの状態変更情報をプレゼンスプロトコル機能部３１−４により受信し、コンテンツの状態変更情報をデータベースサブシステム４１に蓄積する。
【００２７】
また、プレゼンスサブシステム３１は、端末装置２１から送信されるＵＲＩの登録，ユーザ６１が知らせてもらいたいコンテンツの情報，ユーザが希望した場合にはマッチングしたコンテンツの開始時刻を含むコンテンツの情報（前記通知されるコンテンツ情報）を開始時刻の特定時間前に通知する特定時間を指定する通知時間指定情報、あるいは、ユーザが、マッチングしたコンテンツの開始時刻を含むコンテンツの情報（前記通知されるコンテンツ情報）の通知を受けることができる時間を指定する受信可能時間帯指定情報をプレゼンスプロトコル機能部３１−４により受信し、さらに以下の処理を行うサーバ装置である。
【００２８】
すなわち、知らせてもらいたい情報によりデータベースサブシステム４１からマッチングするコンテンツを検索し、マッチングしたコンテンツの情報を蓄積し、マッチングしたコンテンツの情報に関わる状態変更情報を監視し、マッチングしたコンテンツの開始時刻を含むコンテンツの情報を特定のタイミング（例えばコンテンツ開始時刻の直前であり、直前とはプレゼンスサブシステム３１であらかじめ決めた値、または通知時間指定情報を受信した場合は通知時間指定により設定された値により、かつ、受信可能時間帯指定情報を受信した場合は、該時間帯内に限り）で、プレゼンスプロトコル機能部３１−４から端末装置２１に送信する機能を含むサーバ装置である。
【００２９】
次に処理の流れについて説明する。
【００３０】
図２は、図１に示した自動通知システムによる処理例を示すシーケンスチャートであり、ユーザ６１の端末装置２１と、データベースサブシステム４１と、プレゼンスサブシステム３１およびコンテンツ配信サブシステム５１間の、特にプレゼンスプロトコル機能部間の動作について示している。
【００３１】
コンテンツ配信サブシステム５１が、ＳＩＰ  ＲＥＧＩＳＴＥＲによりＵＲＩを登録すると（ステップ１１、以下、Ｓ１１等と略記する）、プレゼンスサブシステム３１で受信を確認し（Ｓ１２）（以下、情報を受信した側から送信される確認信号については、説明の記述は省略する）、登録し（Ｓ１３）、以後のプレゼンス情報の送受信を可能にする。コンテンツ配信サブシステム５１からは、更新の発生の都度、コンテンツの状態変更情報（新規登録，変更，削除等）が、ＳＩＰ  ＲＥＧＩＳＴＥＲにより、プレゼンスサブシステム３１に送信され（Ｓ１４）、データベースサブシステム４１に蓄積される（Ｓ１６）。
【００３２】
ユーザ６１は、自動通知サービスを受けるために、端末装置２１からＳＩＰ  ＲＥＧＩＳＴＥＲによりＵＲＩを登録する（Ｓ１７）。プレゼンスサブシステム３１でこれを受信して登録し（Ｓ１９）、以後のプレゼンス情報の送受信を可能にする。続いて、ユーザ６１は、ＳＩＰ  ＳＵＢＳＣＲＩＢＥにより知らせてもらいたいコンテンツの情報を送信し（Ｓ２０）、プレゼンスサブシステム３１で葉、これを受信して蓄積し（Ｓ２２）、ついで、上記知らせてもらいたいコンテンツの情報によりデータベースサブシステム４１に対しコンテンツの検索を行い（Ｓ２３）、マッチングしたコンテンツの情報を蓄積し、このマッチングしたコンテンツの情報に関わる状態変更情報を監視する（Ｓ２４）。
【００３３】
そして、ユーザ６１が希望する場合には、通知時間指定情報を送信し（Ｓ２５）、プレゼンスサブシステム３１でその蓄積を行い（Ｓ２７）、ユーザ６１への通知時刻を設定する（Ｓ２８）。さらにユーザ６１が希望する場合には、受信可能時間帯指定情報の送信（Ｓ２９）と蓄積を行う（Ｓ３１）。プレゼンスサブシステム３１は、受信可能時間帯指定情報を受信した場合は、ステップ２８の通知時刻との照合を行い（Ｓ３２）、通知時刻が受信可能時間帯内の場合は、ＳＩＰＮＯＴＩＦＹによりユーザ６１に送信を行い（Ｓ３３）、受信可能時間帯外の場合は、ＳＩＰ  ＮＯＴＩＦＹの送信を中止する（Ｓ３５）。なお、図２の▲１▼等の符号は、図１の同番号に対応している（以上、請求項１〜７，８）。
【００３４】
図３は、本実施形態に係るプレゼンスサブシステム３１を、図１の自動通知システムに適用した場合の構成例を示すブロック図である。プレゼンスサブシステム３１は、ＩＰ通信ネットワーク１１とインタフェースをとるネットワークインタフェース部３１−１と、インターネット部３１−２と、トランスポー路部３１−３と、プレゼンスプロトコル機能部３１−４と、アプリケーション部３１−５から構成される。
【００３５】
アプリケーション部３１−５は、ユーザ対応部３２と、コンテンツ配信サブシステム対応部３３と、アドレス登録機能部３４と、データベースサブシステム対応部３５を含んで構成されている。
アプリケーション部３１−５の機能の概要は、以下の通りである。
すなわち、アプリケーション部３１−５は、アドレス登録機能部３４においてＵＲＩの登録対応を行い、ユーザ対応部３２においてユーザの端末装置とのプレゼンス情報の送受信を行い、知らせてもらいたいコンテンツの情報を知らせてもらいたいコンテンツ情報蓄積部３２−１に、マッチングしたコンテンツの情報をマッチングコンテンツ情報（前記通知されるコンテンツ情報）蓄積部３２−２に、通知時間指定情報あるいは受信可能時間帯指定情報を時間情報蓄積部３２−３に蓄積する機能を有する。
【００３６】
また、データベースサブシステム対応部３５を経由して知らせてもらいたいコンテンツの情報による検索を行い、マッチングしたコンテンツ情報を蓄積し、マッチングしたコンテンツの情報に関わる状態変更情報を監視し、マッチングしたコンテンツの情報を所定のタイミングで端末装置２１に送信する。
コンテンツ配信サブシステム対応部３３は、コンテンツ配信サブシステムとのプレゼンス情報の送受信を行い、コンテンツの状態変更情報をデータベースサブシステム対応部３５を経由して蓄積する。
【００３７】
図４は、図３に示す実施形態の動作例を示すフローチャートであり、本実施形態の特徴であるプレゼンスプロトコル機能部３１４，アプリケーション部３１−５を主にした動作フローを示すものである。コンテンツ配信サブシステムから送信されてくるＵＲＩの登録をアドレス登録機能部３４において行い（Ｓ９１）、コンテンツ配信サブシステム対応部３３において、その後に送信されてくるコンテンツの状態変更情報（新規登録，変更，削除）を受信し（Ｓ９２）、コンテンツの状態変更情報の蓄積対応を行う（Ｓ９３）。
【００３８】
また、端末装置２１から送信されてくる端末装置２１のＵＲＩの登録を、アドレス登録機能部３４において行い（Ｓ８１）、ユーザ対応部３２において、その後にユーザ６１の端末装置２１から送信されてくる、ユーザが知らせてもらいたいコンテンツの情報を受信し蓄積し（Ｓ８２）、知らせてもらいたいコンテンツの情報によりコンテンツの検索対応を行い（Ｓ８３）、マッチングしたコンテンツの情報を蓄積し、マッチングしたコンテンツの情報に関わる状態変更情報を監視し（Ｓ８４）、ユーザが希望した場合には通知時間指定情報を受信し蓄積し（Ｓ８５）、ユーザへの通知時刻を設定し（Ｓ８６）、さらにユーザが希望した場合には受信可能時間帯指定情報を受信し蓄積し（Ｓ８７）、受信可能時間帯指定情報を受信した場合はステップ８６の通知時刻との照合を行い（Ｓ８８）、通知時刻が受信可能時間帯内の場合はマッチングしたコンテンツの開始時刻を含むコンテンツの情報（前記通知されるコンテンツ情報）を送信し（Ｓ８７）、受信可能時間帯外の場合はコンテンツ情報の送信を中止する（以上、請求項９）。
【００３９】
なお、上記実施例は本発明の一例を示すものであり、本発明はこれに限定されるべきものではなく、本発明の要旨を逸脱しない範囲内で適宜の変更・改良を行ってもよいことはいうまでもない。
【００４０】
例えば、上述の実施の形態の説明では、プレゼンスプロトコルをＳＩＭＰＬＥプロトコルとしたが、本発明は、プレゼンスプロトコルをＳＩＭＰＬＥプロトコルに限定するものではない。
【００４１】
【発明の効果】
以上、詳細に説明したように、本発明によれば、ユーザが興味のあるコンテンツをコンテンツ配信システムのアクセスするたびに検索する必要がなくなり、また、コンテンツの情報がライブ開始直前に通知されるので、視聴しようと思っていたライブ映像コンテンツを忘れてしまうということがなくなるという顕著な効果を奏するものである。
【００４２】
またさらに、標準プレゼンスプロトコルを利用するため、実装が比較的容易で、他のプレゼンスサービスへの展開も容易なライブ映像コンテンツ開始自動通知システムを提供することをができる。
また、プレゼンス技術は、現状では通信相手のオンライン状態変化を知るために利用されている程度であるが、これをコンテンツ情報状態変化の把握などサーバが保有している情報やネットワークが保有している情報にまで概念を拡張することによりネットワークおよび各種サーバで保有している情報をユーザに自動通知する付加価値サービスに利用することができる。
【図面の簡単な説明】
【図１】本発明の一実施形態に係るライブ映像コンテンツ情報自動通知システム（自動通知システム）の構成を示す接続図である。
【図２】図１に示した自動通知システムによる処理例を示すシーケンスチャートである。
【図３】本実施形態に係るプレゼンスサブシステム３１を、図１の自動通知システムに適用した場合の構成例を示すブロック図である。
【図４】図３に示す実施形態の動作例を示すフローチャートである。
【符号の説明】
１１  ＩＰ通信ネットワーク
２１  端末装置
２１−１，３１−４，５１−１  プレゼンスプロトコル機能部
２１−２，３１−５，５１−２  アプリケーション部
３１  プレゼンスサブシステム
３１−１  ネットワークインタフェース部
３１−２  インターネット（ＩＰ）部
３１−３  トランスポート（ＴＣＰ、ＵＤＰ）部
３２  アプリケーション部（ユーザ対応部）
３３  コンテンツ配信サブシステム対応部
３４  アドレス登録機能部
４１  データベースサブシステム
５１  コンテンツ配信サブシステム
６１  ユーザ
【図１】
2004362499.tif 000003
【図２】
2004362499.tif 000004
【図３】
2004362499.tif 000005
【図４】
2004362499.tif 000006